(57)【要約】  設置位置である外部部材の色味と調和させやすい太陽電池モジュールを提供する。太陽電池モジュール１９は、太陽電池セル１１と、太陽電池セル１１を基準にして、受光側に、受光側封止材１２Ｕ、受光側保護部材１３をこの順で重ねて配置する一方、受光側の反対側となる裏側に、裏側封止材１２Ｂ、裏側保護部材１４をこの順で重ねて配置しており、測定対象物に対して入射させた光に基づいた正反射光と拡散反射光とを併せた反射光の色の測定値Ｐxと、測定対象物に対して入射させた光に基づいた拡散反射光のみの色の測定値Ｑxと、から計算される値が、特定の条件を満たす。
2019031023.tif 000002
【特許請求の範囲】
【請求項１】
太陽電池セルと、前記太陽電池セルを基準にして、受光側に、受光側封止材、受光側保護部材をこの順で重ねて配置する一方、受光側の反対側となる裏側に、裏側封止材、裏側保護部材をこの順で重ねて配置する太陽電池モジュールにあって、
測定対象物に対して入射させた光に基づいた正反射光と拡散反射光とを併せた反射光の色の測定値Ｐx(Ｌ*[Px],ａ*[Px],ｂ*[Px])と、
測定対象物に対して入射させた光に基づいた拡散反射光のみの色の測定値Ｑx(Ｌ*[Qx],ａ*[Qx],ｂ*[Qx])と、
から計算される値が(なお、Ｌ*,ａ*,ｂ*はCIE1976Ｌ*ａ*ｂ*表色系を用い、xには識別符号g,m,s,c,k,tが挿入)、以下の通りである太陽電池モジュール。
(１).前記受光側保護部材そのものに対する、測定値Ｐg(Ｌ*[Pg],ａ*[Pg],ｂ*[Pg])に基づく彩度Ｃ*[Pg]、および、測定値Ｑg(Ｌ*[Qg],ａ*[Qg],ｂ*[Qg])に基づく彩度Ｃ*[Qg]が、以下の条件を満たす。
Ｃ*[Pg]≦５
Ｃ*[Qg]≦５
なお、
Ｃ*[Pg]＝(ａ*[Pg]２＋ｂ*[Pg]２)１／２
Ｃ*[Qg]＝(ａ*[Qg]２＋ｂ*[Qg]２)１／２
である。
(２).前記受光側から前記裏側に向かって、前記受光側保護部材、前記受光側封止材、前記裏側封止材、前記裏側保護部材がこの順で重なっている部分に対し、前記受光側保護部材から入射させた光による、
測定値Ｐm(Ｌ*[Pm],ａ*[Pm],ｂ*[Pm])に基づく彩度Ｃ*[Pm]と、
測定値Ｑm(Ｌ*[Qm],ａ*[Qm],ｂ*[Qm])に基づく彩度Ｃ*[Qm]と、
の差ΔＴ[m]が以下の条件を満たす。
ΔＴ[m]≧６
なお、
ΔＴ[m]＝Ｃ*[Qm]−Ｃ*[Pm]
＝(ａ*[Qm]２＋ｂ*[Qm]２)１／２−(ａ*[Pm]２＋ｂ*[Pm]２)１／２
である。
(３).前記(２)における前記測定値Ｑm(Ｌ*[Qm],ａ*[Qm],ｂ*[Qm])と、
前記受光側から前記裏側に向かって、前記受光側保護部材、前記受光側封止材、前記太陽電池セルがこの順で重なっている部分に対し、前記受光側保護部材から入射させた光による測定値Ｑs(Ｌ*[Qs],ａ*[Qs],ｂ*[Qs])と、
から計算される色度差ΔＥ[m-s]が、以下の条件を満たす。
ΔＥ[m-s]≦３０
なお、
ΔＥ[m-s]＝｛(Ｌ*[Qm]−Ｌ*[Qs])２＋(ａ*[Qm]−ａ*[Qs])２
＋(ｂ*[Qm]−ｂ*[Qs])２｝１／２
である。
【請求項２】
(４).前記太陽電池セルそのものに対する、測定値Ｑc(Ｌ*[Qc],ａ*[Qc],ｂ*[Qc]）と、
前記裏側保護部材そのものに対する、測定値Ｑk(Ｌ*[Qk],ａ*[Qk],ｂ*[Qk])と、
から計算される色度差ΔＥ[c-k]が、以下の条件を満たす、請求項１に記載の太陽電池モジュール。
ΔＥ[c-k]≦６０
なお、
ΔＥ[c-k]＝｛(Ｌ*[Qc]−Ｌ*[Qk])２＋(ａ*[Qc]−ａ*[Qk])２
＋(ｂ*[Qc]−ｂ*[Qk])２｝１／２
である。
【請求項３】
配線部材が含まれており、
(５).前記(２)における前記測定値Ｑm(Ｌ*[Qm],ａ*[Qm],ｂ*[Qm]）と、
前記受光側から前記裏側に向かって、前記受光側保護部材、前記受光側封止材、前記配線部材がこの順で重なっている部分に対し、前記受光側保護部材から入射させた光による測定値Ｑt(Ｌ*[Qt],ａ*[Qt],ｂ*[Qt])と、
から計算される色度差ΔＥ[m-t]が、以下の条件を満たす、請求項１または２に記載の太陽電池モジュール。
ΔＥ[m-t]≦３０
なお、
ΔＥ[m-t]＝｛(Ｌ*[Qm]−Ｌ*[Qt])２＋(ａ*[Qm]−ａ*[Qt])２
＋(ｂ*[Qm]−ｂ*[Qt])２｝１／２
である。
【請求項４】
（６).前記受光側から前記裏側に向かって、前記受光側保護部材、前記受光側封止材、前記太陽電池セルがこの順で重なっている部分に対し、前記受光側保護部材から入射させた光による、Ｄ50光に基づいた拡散反射光のみの色の測定値Ｄ50Qs(Ｌ*[50Qs],ａ*[50Qs],ｂ*[50Qs]）と、
Ｄ65光に基づいた拡散反射光のみの色の測定値Ｄ65Qs(Ｌ*[65Qs],ａ*[65Qs],ｂ*[65Qs]）と、
から計算される値ΔＵ[Qs]が、以下の条件を満たす、請求項１〜３に記載の太陽電池モジュール。
ΔＵ[Qs]≧１
なお、
ΔＵ[Qs]＝｛(Ｌ*[50Qs]−Ｌ*[65Qs])２＋(ａ*[50Qs]−ａ*[65Qs])２
＋(ｂ*[50Qs]−ｂ*[65Qs])２｝１／２
である。
【請求項５】
太陽電池セルと、前記太陽電池セルを基準にして、受光側に、受光側封止材、受光側保護部材をこの順で重ねて配置する一方、受光側の反対側となる裏側に、裏側封止材、裏側保護部材を重ねて配置する太陽電池モジュールにあって、
測定対象物に対して入射させたＤ50光に基づいた、正反射光と拡散反射光とを併せた反射光の色の測定値Ｄ50Px(Ｌ＊[50Px],ａ＊[50Px],ｂ＊[50Px]）、および、拡散反射光のみの色の測定値Ｄ50Qx(Ｌ＊[50Qx],ａ＊[50Qx],ｂ＊[50Qx]）と、
測定対象物に対して入射させたＤ65光に基づいた、正反射光と拡散反射光とを併せた反射光の色の測定値Ｄ65Px(Ｌ＊[65Px],ａ＊[65Px],ｂ＊[65Px]）、および、拡散反射光のみの色の測定値Ｄ65Qx(Ｌ＊[65Qx],ａ＊[65Qx],ｂ＊[65Qx]）と、
から計算される値が(なお、Ｌ*,ａ*,ｂ*はCIE1976Ｌ*ａ*ｂ*表色系を用い、xには識別符号g,m,sが挿入)、以下の通りである太陽電池モジュール。
(１’).前記受光側保護部材そのものに対する、
測定値Ｄ50Pg(Ｌ＊[50Pg],ａ＊[50Pg],ｂ＊[50Pg])に基づく彩度Ｃ＊[50Pg]、
測定値Ｄ50Qg(Ｌ＊[50Qg],ａ＊[50Qg],ｂ＊[50Qg])に基づく彩度Ｃ＊[50Qg]、
測定値Ｄ65Pg(Ｌ＊[65Pg],ａ＊[65Pg],ｂ＊[65Pg])に基づく彩度Ｃ＊[65Pg]、
測定値Ｄ65Qg(Ｌ＊[65Qg],ａ＊[65Qg],ｂ＊[65Qg])に基づく彩度Ｃ＊[65Qg]、
が、以下の条件を満たす。
Ｃ＊[50Pg]≦５
Ｃ＊[50Qg]≦５
Ｃ＊[65Pg]≦５
Ｃ＊[65Qg]≦５
なお、
Ｃ＊[50Pg]＝(ａ*[50Pg]２＋ｂ*[50Pg]２)１／２
Ｃ＊[50Qg]＝(ａ*[50Qg]２＋ｂ*[50Qg]２)１／２
Ｃ＊[65Pg]＝(ａ*[65Pg]２＋ｂ*[65Pg]２)１／２
Ｃ＊[65Qg]＝(ａ*[65Qg]２＋ｂ*[65Qg]２)１／２
である。
(３’).前記受光側から前記裏側に向かって、前記受光側保護部材、前記受光側封止材、前記裏側封止材、前記裏側保護部材がこの順で重なっている部分に対し、前記受光側保護部材から入射させた光による測定値Ｄ50Qm(Ｌ*[50Qm],ａ*[50Qm],ｂ*[50Qm]）および測定値Ｄ65Qm(Ｌ*[65Qm],ａ*[65Qm],ｂ*[65Qm]）と、
前記受光側から前記裏側に向かって、前記受光側保護部材、前記受光側封止材、前記太陽電池セルがこの順で重なっている部分に対し、前記受光側保護部材から入射させた光による測定値Ｄ50Qs(Ｌ*[50Qs],ａ*[50Qs],ｂ*[50Qs])および測定値Ｄ65Qs(Ｌ*[65Qs],ａ*[65Qs],ｂ*[65Qs])と、
から計算される色度差ΔＥ[50Qm-50Qs]および色度差ΔＥ[65Qm-65Qs]が、以下の条件を満たす。
ΔＥ[50Qm-50Qs]≦３０
ΔＥ[65Qm-65Qs]≦３０
なお、
ΔＥ[50Qm-50Qs]＝｛(Ｌ*[50Qm]−Ｌ*[50Qs])２
＋(ａ*[50Qm]−ａ*[50Qs])２
＋(ｂ*[50Qm]−ｂ*[50Qs])２｝１／２
ΔＥ[65Qm-65Qs]＝｛(Ｌ*[65Qm]−Ｌ*[65Qs])２
＋(ａ*[65Qm]−ａ*[65Qs])２
＋(ｂ*[65Qm]−ｂ*[65Qs])２｝１／２
である。
(６).前記測定値Ｄ50Qs(Ｌ*[50Qs],ａ*[50Qs],ｂ*[50Qs])と、
前記測定値Ｄ65Qs(Ｌ*[65Qs],ａ*[65Qs],ｂ*[65Qs])と、
から計算される値ΔＵ[Qs]が以下の条件を満たす。
ΔＵ[Qs]≧１
なお、
ΔＵ[Qs]＝｛(Ｌ*[50Qs]−Ｌ*[65Qs])２＋(ａ*[50Qs]−ａ*[65Qs])２
＋(ｂ*[50Qs]−ｂ*[65Qs])２｝１／２
である。
【請求項６】
配線部材が含まれており、
(５’).前記（３’）における前記測定値Ｄ50Qm(Ｌ*[50Qm],ａ*[50Qm],ｂ*[50Qm]）および前記測定値Ｄ65Qm(Ｌ*[65Qm],ａ*[65Qm],ｂ*[65Qm]）と、
前記受光側から前記裏側に向かって、前記受光側保護部材、前記受光側封止材、前記配線部材がこの順で重なっている部分に対し、前記受光側保護部材から入射させた光による測定値Ｄ50Qt(Ｌ*[50Qt],ａ*[50Qt],ｂ*[50Qt])および測定値Ｄ65Qt(Ｌ*[65Qt],ａ*[65Qt],ｂ*[65Qt])と、
から計算される色度差ΔＥ[50Qm-50Qt]およびΔＥ[65Qm-65Qt]が、以下の条件を満たす、請求項５に記載の太陽電池モジュール。
ΔＥ[50Qm-50Qt]≦３０
ΔＥ[65Qm-65Qt]≦３０
なお、
ΔＥ[50Qm-50Qt]＝｛(Ｌ*[50Qm]−Ｌ*[50Qt])２
＋(ａ*[50Qm]−ａ*[50Qt])２
＋(ｂ*[50Qm]−ｂ*[50Qt])２｝１／２
ΔＥ[65Qm-65Qt]＝｛(Ｌ*[65Qm]−Ｌ*[65Qt])２
＋(ａ*[65Qm]−ａ*[65Qt])２
＋(ｂ*[65Qm]−ｂ*[65Qt])２｝１／２
である。
【請求項７】
前記受光側封止材は、波長変換添加剤を含有する、請求項１〜６のいずれか１項に記載の太陽電池モジュール。
【請求項８】
前記太陽電池セルは、裏面接合型太陽電池セルである、請求項１〜７のいずれか１項に記載の太陽電池モジュール。
【請求項９】
前記配線部材は、黒色化処理された配線部材である、請求項３または６のいずれか１項に記載の太陽電池モジュール。
【請求項１０】
前記太陽電池セルは複数含まれており、
隣り合う前記太陽電池セル同士では、一方の前記太陽電池セルの受光側の主面の一部と、他方の前記太陽電池セルの裏側の主面の一部とが、重なっている、請求項１〜９のいずれか１項に記載の太陽電池モジュール。
【発明の詳細な説明】
【技術分野】
【０００１】
本発明は、太陽電池モジュールに関する。
【背景技術】
【０００２】
環境への意識が高まる昨今、ＺＥＨ（net zero energy house）、ＺＥＢ（net zero energy building）への取り組みが活発になっている。ＺＥＨ、ＺＥＢのためには、建築物自体で、必要電力を生産しなくてはならず、発電手段として太陽電池モジュールの検討が進められている。【０００３】
太陽電池モジュールは、建築物に設置されるが、建築物の屋上だけへの設置では、必要電力を賄えないことから、屋上以外の場所への設置が考えられ、そのような技術開発も進んでいる。例えば、特許文献１のような太陽電池一体型壁材、および、特許文献２のような壁面に太陽電池モジュールを設置するための架台が挙げられる。
【先行技術文献】
【特許文献】
【０００４】
【特許文献１】特開２０１６−１８６１５６号公報
【特許文献２】特開２０１６−０００９４９号公報
【発明の概要】
【発明が解決しようとする課題】
【０００５】
しかしながら、建築物の壁面に、太陽電池モジュールを設置する場合、屋外にいる歩行者等の視界に、直接、太陽電池モジュールが入ることになり、その太陽電池モジュールからの反射光による光害を考慮しなくてはならない。また、太陽電池モジュールは、外観のバリエーションに乏しく、壁面に設置した場合、壁面の外見（例えば、壁面の色味)と馴染まずに、建築物の意匠性を低下させる原因ともなり得る。【０００６】
本発明は、上記の課題を解決するためになされたものである。そして、その目的は、太陽電池モジュールの設置位置である外部部材（壁面、建材、または建物等）の色味に調和させやすい、全体的に同系色を発する太陽電池モジュールを提供することにある。
【課題を解決するための手段】
【０００７】
本発明の太陽電池モジュールは、太陽電池セルと、前記太陽電池セルを基準にして、受光側に、受光側封止材、受光側保護部材をこの順で重ねて配置する一方、受光側の反対側となる裏側に、裏側封止材、裏側保護部材をこの順で重ねて配置する。【０００８】
そして、この太陽電池モジュールにあって、測定対象物に対して入射させた光に基づいた正反射光と拡散反射光とを併せた反射光の色の測定値Ｐx(Ｌ*[Px],ａ*[Px],ｂ*[Px])と、
測定対象物に対して入射させた光に基づいた拡散反射光のみの色の測定値Ｑx(Ｌ*[Qx],ａ*[Qx],ｂ*[Qx])と、
から計算される値が(なお、Ｌ*,ａ*,ｂ*はCIE1976Ｌ*ａ*ｂ*表色系を用い、xには識別符号g,m,s,c,k,tが挿入)、以下の通りである。【０００９】
(１).前記受光側保護部材そのものに対する、測定値Ｐg(Ｌ*[Pg],ａ*[Pg],ｂ*[Pg])に基づく彩度Ｃ*[Pg]、および、測定値Ｑg(Ｌ*[Qg],ａ*[Qg],ｂ*[Qg])に基づく彩度Ｃ*[Qg]が、以下の条件を満たす。
Ｃ*[Pg]≦５
Ｃ*[Qg]≦５
なお、
Ｃ*[Pg]＝(ａ*[Pg]２＋ｂ*[Pg]２)１／２
Ｃ*[Qg]＝(ａ*[Qg]２＋ｂ*[Qg]２)１／２
である。
(２).前記受光側から前記裏側に向かって、前記受光側保護部材、前記受光側封止材、前記裏側封止材、前記裏側保護部材がこの順で重なっている部分に対し、前記受光側保護部材から入射させた光による、
測定値Ｐm(Ｌ*[Pm],ａ*[Pm],ｂ*[Pm])に基づく彩度Ｃ*[Pm]と、
測定値Ｑm(Ｌ*[Qm],ａ*[Qm],ｂ*[Qm])に基づく彩度Ｃ*[Qm]と、
の差ΔＴ[m]が以下の条件を満たす。
ΔＴ[m]≧６
なお、
ΔＴ[m]＝Ｃ*[Qm]−Ｃ*[Pm]
＝(ａ*[Qm]２＋ｂ*[Qm]２)１／２−(ａ*[Pm]２＋ｂ*[Pm]２)１／２
である。
(３).前記(２)における前記測定値Ｑm(Ｌ*[Qm],ａ*[Qm],ｂ*[Qm])と、
前記受光側から前記裏側に向かって、前記受光側保護部材、前記受光側封止材、前記太陽電池セルがこの順で重なっている部分に対し、前記受光側保護部材から入射させた光による測定値Ｑs(Ｌ*[Qs],ａ*[Qs],ｂ*[Qs])と、
から計算される色度差ΔＥ[m-s]が、以下の条件を満たす。
ΔＥ[m-s]≦３０
なお、
ΔＥ[m-s]＝｛(Ｌ*[Qm]−Ｌ*[Qs])２＋(ａ*[Qm]−ａ*[Qs])２
＋(ｂ*[Qm]−ｂ*[Qs])２｝１／２
である。【００１０】
また、本発明の太陽電池モジュールは、太陽電池セルと、前記太陽電池セルを基準にして、受光側に、受光側封止材、受光側保護部材をこの順で重ねて配置する一方、受光側の反対側となる裏側に、裏側封止材、裏側保護部材をこの順で重ねて配置する。【００１１】
そして、この太陽電池モジュールにあって、測定対象物に対して入射させたＤ50光に基づいた、正反射光と拡散反射光とを併せた反射光の色の測定値Ｄ50Px(Ｌ＊[50Px],ａ＊[50Px],ｂ＊[50Px]）、および、拡散反射光のみの色の測定値Ｄ50Qx(Ｌ＊[50Qx],ａ＊[50Qx],ｂ＊[50Qx]）と、
測定対象物に対して入射させたＤ65光に基づいた、正反射光と拡散反射光とを併せた反射光の色の測定値Ｄ65Px(Ｌ＊[65Px],ａ＊[65Px],ｂ＊[65Px]）、および、拡散反射光のみの色の測定値Ｄ65Qx(Ｌ＊[65Qx],ａ＊[65Qx],ｂ＊[65Qx]）と、
から計算される値が(なお、Ｌ*,ａ*,ｂ*はCIE1976Ｌ*ａ*ｂ*表色系を用い、xには識別符号g,m,sが挿入)、以下の通りである。【００１２】
(１’).前記受光側保護部材そのものに対する、
測定値Ｄ50Pg(Ｌ＊[50Pg],ａ＊[50Pg],ｂ＊[50Pg])に基づく彩度Ｃ＊[50Pg]、
測定値Ｄ50Qg(Ｌ＊[50Qg],ａ＊[50Qg],ｂ＊[50Qg])に基づく彩度Ｃ＊[50Qg]、
測定値Ｄ65Pg(Ｌ＊[65Pg],ａ＊[65Pg],ｂ＊[65Pg])に基づく彩度Ｃ＊[65Pg]、
測定値Ｄ65Qg(Ｌ＊[65Qg],ａ＊[65Qg],ｂ＊[65Qg])に基づく彩度Ｃ＊[65Qg]、
が、以下の条件を満たす。
Ｃ＊[50Pg]≦５
Ｃ＊[50Qg]≦５
Ｃ＊[65Pg]≦５
Ｃ＊[65Qg]≦５
なお、
Ｃ＊[50Pg]＝(ａ*[50Pg]２＋ｂ*[50Pg]２)１／２
Ｃ＊[50Qg]＝(ａ*[50Qg]２＋ｂ*[50Qg]２)１／２
Ｃ＊[65Pg]＝(ａ*[65Pg]２＋ｂ*[65Pg]２)１／２
Ｃ＊[65Qg]＝(ａ*[65Qg]２＋ｂ*[65Qg]２)１／２
である。
(３’).前記受光側から前記裏側に向かって、前記受光側保護部材、前記受光側封止材、前記裏側封止材、前記裏側保護部材がこの順で重なっている部分に対し、前記受光側保護部材から入射させた光による測定値Ｄ50Qm(Ｌ*[50Qm],ａ*[50Qm],ｂ*[50Qm]）および測定値Ｄ65Qm(Ｌ*[65Qm],ａ*[65Qm],ｂ*[65Qm]）と、
前記受光側から前記裏側に向かって、前記受光側保護部材、前記受光側封止材、前記太陽電池セルがこの順で重なっている部分に対し、前記受光側保護部材から入射させた光による測定値Ｄ50Qs(Ｌ*[50Qs],ａ*[50Qs],ｂ*[50Qs])および測定値Ｄ65Qs(Ｌ*[65Qs],ａ*[65Qs],ｂ*[65Qs])と、
から計算される色度差ΔＥ[50Qm-50Qs]および色度差ΔＥ[65Qm-65Qs]が、以下の条件を満たす。
ΔＥ[50Qm-50Qs]≦３０
ΔＥ[65Qm-65Qs]≦３０
なお、
ΔＥ[50Qm-50Qs]＝｛(Ｌ*[50Qm]−Ｌ*[50Qs])２
＋(ａ*[50Qm]−ａ*[50Qs])２
＋(ｂ*[50Qm]−ｂ*[50Qs])２｝１／２
ΔＥ[65Qm-65Qs]＝｛(Ｌ*[65Qm]−Ｌ*[65Qs])２
＋(ａ*[65Qm]−ａ*[65Qs])２
＋(ｂ*[65Qm]−ｂ*[65Qs])２｝１／２
である。
(６).前記測定値Ｄ50Qs(Ｌ*[50Qs],ａ*[50Qs],ｂ*[50Qs])と、
前記測定値Ｄ65Qs(Ｌ*[65Qs],ａ*[65Qs],ｂ*[65Qs])と、
から計算される値ΔＵ[Qs]が以下の条件を満たす。
ΔＵ[Qs]≧１
なお、
ΔＵ[Qs]＝｛(Ｌ*[50Qs]−Ｌ*[65Qs])２＋(ａ*[50Qs]−ａ*[65Qs])２
＋(ｂ*[50Qs]−ｂ*[65Qs])２｝１／２
である。
【発明の効果】
【００１３】
本発明によれば、太陽電池モジュールは、全体的に同系色になり、その太陽電池モジュールの設置位置である外部部材の色味に調和させやすくなり、その結果、外部部材の意匠性を高められる。
【図面の簡単な説明】
【００１４】
【図１】図１は、太陽電池モジュールの断面図である。
【図２】図２は、図１の太陽電池モジュールの平面図である。
【図３】図３は、裏面電極型の太陽電池セルを搭載する太陽電池モジュールの断面図である。
【図４】図４は、図３の太陽電池モジュールの平面図である。
【図５】図５は、両面電極型の太陽電池セルを搭載する太陽電池モジュールの断面図である。
【図６】図６は、図５の太陽電池モジュールの平面図である。
【図７】図７は、シングリング接続された太陽電池セルを搭載する太陽電池モジュールの断面図である。
【図８】図８は、図７の太陽電池モジュールの平面図である。
【発明を実施するための形態】
【００１５】
本発明の一実施形態について説明すると以下の通りであるが、これに限定されるものではない。なお、便宜上、ハッチングや部材符号等を省略する場合もあるが、かかる場合、他の図面を参照するものとする。また、図面における種々部材の寸法は、便宜上、見やすいように調整されている。
【００１６】
≪太陽電池モジュール≫
図１〜図８は、少なくとも、太陽電池セル１１、封止材１２（受光側封止材１２Ｕ、裏側封止材１２Ｂ）、受光側保護部材１３、および、裏側保護部材１４を含む太陽電池モジュール１９を示す模式的な断面図および平面図である。
【００１７】
図１・２は、１枚の太陽電池セル１１を含む太陽電池モジュール１９を表す。図３・４および図５・６は、複数の太陽電池セル１１を、接続用の配線部材１５で電気的に接続させた太陽電池モジュール１９を表す。図７・８は、接続用の配線部材を用いることなく、複数の太陽電池セル１１同士を電気的に接続させた太陽電池モジュール１９を表す。なお、図３〜図８に示されるような、電気的に接続された太陽電池セル１１の集合体を、太陽電池ストリングと称することもある。
【００１８】
＜太陽電池セル＞
太陽電池セル１１は、主面として表面１１Ｕと裏面１１Ｂとを含んでおり、本明細書では、表面１１Ｕの側を表側、これに対して反対側にあたる裏面１１Ｂの側を裏側と称する。そして、便宜上、表側は裏側よりも積極的に受光させようとする側（受光側／視認側）とし、積極的に受光させない裏側を非受光側（非視認側）として説明する。
【００１９】
したがって、図１、図３、図５、図７に示されるように、太陽電池モジュール１９は、太陽電池セル１１と、この太陽電池セル１１を基準にして、受光側に、受光側封止材１２Ｕ、受光側保護部材１３をこの順で重ねて配置する一方、受光側の反対側となる裏側に、裏側封止材１２Ｂ、裏側保護部材１４をこの順で重ねて配置する。
【００２０】
なお、太陽電池セル１１の種類は、特に限定されず、例えば、単結晶シリコン太陽電池、多結晶シリコン太陽電池、薄膜シリコン太陽電池、ヘテロ接合太陽電池、化合物系太陽電池、または、有機薄膜太陽電池が挙げられる。
【００２１】
また、太陽電池セル１１の製造方法も、特に限定されない。例えば、半導体基板上に、公知の積層手段によって第一導電型領域（例えばｐ型領域）および第二導電型領域（例えばｎ型領域）が設けられ、第一導電型領域上に第一電極、第二導電型領域上に第二電極を設けられる太陽電池セル１１の製造方法が挙げられる（なお、便宜上、前記の導電型領域および電極は不図示）。
【００２２】
また、太陽電池セル１１における電極構造の種類も、特に限定されず、例えば、裏面１１Ｂのみに電極を有する裏面電極型太陽電池セル１１であっても構わないし（図３・図４参照）、太陽電池セルの表面（受光面）１１Ｕおよび裏面１１Ｂに電極を有する両面電極型太陽電池セル１１（図５・図６参照）であっても構わない。
【００２３】
なお、裏面電極型太陽電池セル１１では、受光面１１Ｕに電極が無い。そのため、受光面１１Ｕを同一色にした裏面電極型太陽電池セル１１を複数備える太陽電池モジュール１９は、全体として、同系色に視認され、高い意匠性を有する。
【００２４】
一方で、両面電極型太陽電池セル１１であっても、電極を受光面１１Ｕの色と同系色に処理（例えば、黒色化処理）すると、受光面１１Ｕ上の電極は目立たなくなる。そのため、このような両面電極型太陽電池セル１１を複数備える太陽電池モジュール１９も、全体として、同系色に視認され、高い意匠性を有する。
【００２５】
また、シングリングと称される接続方法によって、複数の太陽電池セル１１同士を電気的に接続させた太陽電池モジュール１９にあっては（図７・図８参照）、隣り合う太陽電池セル１１同士では、一方の太陽電池セル１１の受光側の主面の一部（受光面１１Ｕにおける周縁の一部である端面）と、他方の太陽電池セル１１の裏側の主面の一部（裏面１１Ｂにおける周縁の一部である端面）とが重なる。
【００２６】
このような太陽電池モジュール１９にて、隣り合う太陽電池セル１１同士では、一方の太陽電池セル１１の受光面１１Ｕに、いわゆるバスバー電極のような配線部材があっても、他方の太陽電池セル１１の裏面１１Ｂにて覆われることになる。そのため、この太陽電池モジュール１９は、受光面１１Ｕを同一色にした太陽電池セル１１を複数備えることになり、全体として、同系色に視認され、高い意匠性を有する。
【００２７】
なお、以上のような太陽電池セル１１の受光側には、反射防止層または光学調整層が積層されていても構わない。このような反射防止層または光学調整層は、厚みまたは材料を適宜設計されると、太陽電池セル１１の表面１１Ｕの反射光が適切に制御される。そのため、反射防止層または光学調整層は、太陽電池モジュール１９の色味調整に好適である。
【００２８】
＜封止材＞
封止材１２は、太陽電池セル１１を封止して保護するもので、太陽電池セル１１の受光面１１Ｕと受光側保護部材１３との間、および、太陽電池セル１１の裏面１１Ｂと裏側保護部材１４との間に介在する。以降では、太陽電池セル１１の受光面１１Ｕを被覆する封止材１２を受光側封止材１２Ｕ、太陽電池セル１１の裏面１１Ｂを被覆する封止材１２を裏側封止材１２Ｂと称すこともある。
【００２９】
受光側封止材１２Ｕおよび裏側封止材１２Ｂの形状は、特に限定されるものではなく、例えばシート状が挙げられる。シート状であれば、面状の太陽電池セル１１の両主面１１Ｕ・１１Ｂを被覆しやすいためである。
【００３０】
封止材１２の材料としては、特に限定されるものではないが、光を透過する特性（透光性）を有する一方、紫外光に対して耐性を有すると好ましい。また、封止材１２の材料は、太陽電池セル１１と受光側保護部材１３と裏側保護部材１４とを接着させる接着性を有すると好ましい。
【００３１】
このような材料としては、例えば、エチレン／酢酸ビニル共重合体（ＥＶＡ）、エチレン／α−オレフィン共重合体、エチレン／酢酸ビニル／トリアリルイソシアヌレート（ＥＶＡＴ）、ポリビニルブチラート（ＰＶＢ）、アクリル樹脂、ウレタン樹脂、または、シリコーン樹脂等の透光性樹脂が挙げられる。なお、受光側封止材１２Ｕの材料と裏側封止材１２Ｂの材料とは、同一であっても構わないし異なっていても構わない。また、このような材料に、有機過酸化物、シランカップリング剤、紫外線吸収剤、架橋助剤、耐熱安定剤、または、耐光安定剤等の添加剤が含まれていても構わない。
【００３２】
また、受光側封止材１２Ｕには、紫外光を変換して可視光を発する波長変換添加剤が含まれると好ましい。このような波長変換添加剤が含有されていると、太陽電池セル１１の発電に寄与しなかった紫外光が発電に寄与する可視光に変換されるため、太陽電池セル１１、ひいては太陽電池モジュール１９の発電量が増大する。
【００３３】
また、波長変換添加剤は、例えば染料および顔料のように、可視光を吸収して残った光を反射させるのではなく、受けた紫外光を可視光に変換して発光させる。そのため、太陽電池モジュール１９の色味が、例えば受光側封止材に含有させた染料等で色づけした太陽電池モジュールに比べて、鮮やかに視認される。また、発光に起因して、太陽電池モジュール１９に含まれる種々部材との色合わせの調整（太陽電池モジュール１９全体として同系色にする調整）も行いやすい。
【００３４】
波長変換添加剤の材料としては、特に限定されるものではないが、可視光の蛍光を有する希土類元素を含む金属錯体等、有機色素、または、無機蛍光体等が挙げられる。なお、このような波長変換添加剤が、封止材１２の材料となる樹脂に分散され、その樹脂がシート状等に成型されることによって、波長変換添加剤を分散させた封止材１２が得られる。
【００３５】
＜受光側保護部材＞
受光側保護部材１３は、受光側封止材１２Ｕを介して、太陽電池セル１１の受光面１１Ｕを覆って、その太陽電池セル１１を保護する。受光側保護部材１３の形状は、特に限定されるものではないが、面状の受光面１１Ｕを間接的に覆う点から、板状またはシート状が好ましい。
【００３６】
受光側保護部材１３の材料としては、特に限定されるものではないが、封止材１２同様に、透光性を有しつつも紫外光に耐性の有る材料が好ましく、例えば、ガラス、または、アクリル樹脂若しくはポリカーボネート樹脂等の透明樹脂が挙げられる。また、受光側保護部材１３の表面は、凹凸状に加工されていても構わないし、反射防止コーティング層で被覆されていても構わない。これらのようになっていると、受光側保護部材１３は、受けた光を反射させ難くして、より多くの光を太陽電池セル１１に導けるためである。
【００３７】
＜裏側保護部材＞
裏側保護部材１４は、裏側封止材１２Ｂを介して、太陽電池セル１１の裏面１１Ｂを覆って、その太陽電池セル１１を保護する。裏側保護部材１４の形状は、特に限定されるものではないが、受光側保護部材１３同様に、面状の裏面１１Ｂを間接的に覆う点から、板状またはシート状が好ましい。
【００３８】
裏側保護部材１４の材料としては、特に限定されるものではないが、水等の浸入を防止する（遮水性の高い）材料が好ましい。例えば、ポリエチレンテレフタレート（ＰＥＴ）、ポリエチレン（ＰＥ）、オレフィン系樹脂、含フッ素樹脂、若しくは含シリコーン樹脂等の樹脂フィルムと、アルミニウム箔等の金属箔との積層体が挙げられる。
【００３９】
＜その他部材＞
例えば、図３〜図６に示されるような、複数の太陽電池セル１１を含む太陽電池モジュール１９では、接続用の配線部材１５（以下、接続配線１５とも称する）が含まれる。接続配線１５は、例えば、隣り合った太陽電池セル１１での電極同士の接続、太陽電池ストリング同士の接続、または、太陽電池ストリングから外部装置への取出配線との接続のために使用される。
【００４０】
接続配線１５は、図３および図４に示されるような裏側電極型太陽電池セル１１では、太陽電池セル１１の裏面１１Ｂ同士に架け渡り、はんだまたは導電性接着剤等で裏面１１Ｂに接着される。
【００４１】
一方、図５・図６に示されるような、両面電極型太陽電池セル１１では、隣り合った太陽電池セル１１同士にあって、接続配線１５は、一方の太陽電池セル１１の受光面１１Ｕと、他方の太陽電池セル１１の裏面１１Ｂとに架け渡り、はんだまたは導電性接着剤等で裏面１１Ｂに接着される。
【００４２】
なお、配線部材１５の材料は、特に限定されるものではないが、銅、アルミニウム、銀、金、または、これらを含む合金等の金属が挙げられる。また、銅、アルミニウム、銀、金、若しくはこれらを含む合金等の金属表面に、金、銀、スズ、若しくははんだ等の導電層を被覆させた被覆層付き金属が、配線部材１５の材料であっても構わない。
【００４３】
また、配線部材１５は、金属色を見え難くすべく、黒色化処理されていると好ましい。このようになっていると、太陽電池モジュール１９としての意匠性が高まるためである。黒色化処理の方法としては、特に限定されないが、黒色塗料の塗布、黒色基材の被覆、または、薬品等による表面処理等があげられる。
【００４４】
＜太陽電池モジュールの製造方法＞
太陽電池モジュール１９の製造方法は、特に限定されるものではない。例えば、受光側保護部材１３、受光側封止材１２Ｕ、太陽電池セル１１（太陽電池ストリング）、裏側封止材１２Ｂ、および、裏側保護部材１４をこの順で重ね、真空排気を行うラミネータ等を用いて、所定の温度、圧力にて加熱、加圧することによって封止すればよい。
【００４５】
≪CIE1976Ｌ*ａ*ｂ*表色系について≫
以上の太陽電池モジュール１９は、以降に記載の条件を満たすことで、全体的に同系色を発するように設計されている。なお、色を定量的に評価するに際して、分光色彩計、分光色差計、分光測色計、または、紫外可視分光光度計等の分析装置を用いて測定される可視光領域での反射スペクトルを用いている。
【００４６】
反射スペクトルに基づく色の数値化については、ＣＩＥ（国際照明委員会）で規格化されたCIE1976Ｌ*ａ*ｂ*表色系（Ｌ*：明[+]〜暗[-]、ａ*：赤味[+]〜緑味[-]、ｂ*：黄[+]〜青味[-]）を用いた。
【００４７】
反射色の測定法は、人間の目視の評価と相関性の高い、拡散反射光のみを検出する方法（ＳＣＥ：Specular Component Exclude）、または、光沢の影響を反映しやすい、正反射光および拡散反射光の両反射光を併せて検出する方法（ＳＣＩ：Specular Component Include）を用いた。
【００４８】
そこで、本明細書では、測定対象物に対して入射させた光に基づいた正反射光と拡散反射光とを併せた反射光の色の測定値を、測定値Ｐx(Ｌ*[Px],ａ*[Px],ｂ*[Px])とし、測定対象物に対して入射させた光に基づいた拡散反射光のみの色の測定値を、測定値Ｑx(Ｌ*[Qx],ａ*[Qx],ｂ*[Qx])とする。
なお、xには、便宜上、識別符号g,m,s,c,k,tを挿入する。
【００４９】
また、反射色の算出に使用される測定光源は、特に限定されるものではなく、公知の分光分布を有する光源（例えば、Ｄ50、Ｄ55、Ｄ65、Ｄ75、またはＣ光源）を使用して構わない。また、反射色の算出に使用される視野も、特に限定されるものではなく、例えばＣＩＥによって規定された１０度または２度を用いて構わない。
【００５０】
以下に説明する太陽電池モジュール１９は、上述の太陽電池モジュール１９の構成部材の固有の色味の設計、または、構成部材の重なり合った状態での色味の設計等を行うことにより、全体的に同系色を発するようになり、高い意匠性を発揮する。
【００５１】
このような、全体的に同系色な太陽電池モジュール１９になっていると、その太陽電池モジュール１９の設置位置である外部部材（壁面、建材、または建物等）の色味に調和させることで、外部部材の意匠性を高められる。また、あえて、外部部材の色味と太陽電池モジュール１９の色味とを異ならせることで、例えば、外部部材における模様を太陽電池モジュール１９で形成させて、外部部材の意匠性を高められる。
【００５２】
このような外部部材の意匠性を高める一手段として役立つ、全体的に同系色を発する太陽電池モジュール１９では、以下の条件（１）〜条件（５）における全ての組み合わせのうち、少なくとも条件（１）、条件（２）、条件（３）を同時に満たす設計であると好ましい。
【００５３】
＜受光側保護部材に関して＞
太陽電池モジュール１９に含まれる受光側保護部材１３固有の色味に関する。
【００５４】
すなわち、受光側保護部材１３そのものに対する測定値Ｐg(Ｌ*[Pg],ａ*[Pg],ｂ*[Pg])に基づく彩度Ｃ*[Pg]、および、測定値Ｑg(Ｌ*[Qg],ａ*[Qg],ｂ*[Qg])に基づく彩度Ｃ*[Qg]が、以下を条件（１）を満たすと好ましい。
【００５５】
［条件（１）］
Ｃ*[Pg]≦５
Ｃ*[Qg]≦５
なお、
Ｃ*[Pg]＝(ａ*[Pg]２＋ｂ*[Pg]２)１／２
Ｃ*[Qg]＝(ａ*[Qg]２＋ｂ*[Qg]２)１／２
である。
【００５６】
上記の条件（１）を満たしていると、受光側保護部材１３は、それ自身に色味はほぼ無く、広範囲な波長域の可視光を透過させられる。その結果、太陽電池モジュール１９の色味の設計において、受光側保護部材１３そのものに起因する色味の影響を抑えられるだけで無く、太陽電池セル１１の受光量も増やせ、太陽電池モジュール１９の発電量が向上する。
【００５７】
一方、上記の条件（１）を満たさないと、受光側保護部材１３自身の色味が有ることになり、例えば、視認されやすい可視光が受光側保護部材１３から正反射光として多量に出射する。そのため、このような受光側保護部材１３を搭載する太陽電池モジュール１９が人の目に付きやすい壁面等に設置されると、着色された反射光が光害を引き起こす。
【００５８】
＜Ａ．太陽電池モジュールにおける各部材の積層部分に関して＞
太陽電池モジュール１９において、受光側から裏側に向かって、受光側保護部材１３、受光側封止材１２Ｕ、裏側封止材１２Ｂ、裏側保護部材１４がこの順で重なっている部分に対する色味に関する。
【００５９】
すなわち、上記の重なっている部分に対し、受光側保護部材１３から入射させた光による、測定値Ｐm(Ｌ*[Pm],ａ*[Pm],ｂ*[Pm])に基づく彩度Ｃ*[Pm]と、測定値Ｑm(Ｌ*[Qm],ａ*[Qm],ｂ*[Qm])に基づく彩度Ｃ*[Qm]と、の差ΔＴ[m]が、以下の条件（２）を満たすと好ましい。
【００６０】
［条件（２）］
ΔＴ[m]≧６
なお、
ΔＴ[m]＝Ｃ*[Qm]−Ｃ*[Pm]
＝(ａ*[Qm]２＋ｂ*[Qm]２)１／２−(ａ*[Pm]２＋ｂ*[Pm]２)１／２
である。
【００６１】
上記の条件（２）を満たしていると、目視に相関性の高い彩度Ｃ*[Qm]が大きく、太陽電池モジュールが鮮やかに視認される。一方で、正反射光を含む彩度Ｃ*[Pm]は小さいため、人の目に付きやすい壁面等に設置された場合でも、反射光は白色に近い自然な光となり、光害が抑制される。
【００６２】
一方、Ｃ*[Qm]およびＣ*[Pm]がともに小さい値の場合、あるいはＣ*[Qm]およびＣ*[Pm]がともに大きい値の場合において、上記の条件（２）を満たさないことになる。Ｃ*[Qm]およびＣ*[Pm]がともに小さい値の場合は、太陽電池モジュールが着色されて視認されないため、意匠性への効果が発揮されない。Ｃ*[Qm]およびＣ*[Pm]がともに大きい値の場合は、人の目に付きやすい壁面等に設置されると、着色された反射光によって光害を引き起こす。
【００６３】
なお、ΔＴ[m]は、より大きいほど、鮮明な光になるため、例えば、８以上であるとより好ましく、１０以上であるとより一層好ましい。
【００６４】
ところで、条件（２）を満たすような太陽電池モジュール１９の一例としては、波長変換添加剤を添加させた受光側封止材１２Ｕと、受光側を黒色とする裏側保護部材１４との採用が考えられる。この場合、波長変換添加剤によって、発電に寄与しない紫外光を変換させて可視光にしているものの、黒色の裏側保護部材１４が採用されているため、変換された可視光の一部は裏側保護部材１４に吸収されてしまう。
【００６５】
一方で、変換された可視の出射光が、裏側保護部材１４に到達するまでの光路によって、その裏側保護部材１４を目立たなくさせ、太陽電池モジュール１９全体として、変換された可視光が目立ちやすくなる。その結果、太陽電池モジュール１９全体として、同系色を発しやすくなり、その太陽電池モジュール１９の意匠性は極めて高まる。
【００６６】
つまり、このような太陽電池モジュール１９は、染料等の太陽電池セルの発電に寄与する可視光を吸収・反射させるものではなく、波長変換添加剤という可視光に変換・出射する点を利用しつつも、かかる可視光の利点を一部犠牲にして、意匠性を高めている。すなわち、発電性能と意匠性とのバランスを図った太陽電池モジュール１９といえる。
【００６７】
なお、ΔＴ[m]の値を調整する方法は、特に限定されるものではないが、裏側保護部材１４の反射色を調整する、または、受光側封止材１２Ｕに含まれる波長変換添加剤の種類若しくは配合量を調整する等が挙げられる。
【００６８】
＜Ｂ．太陽電池モジュールにおける各部材の積層部分に関して＞
太陽電池モジュール１９において、受光側から裏側に向かって、受光側保護部材１３、受光側封止材１２Ｕ、太陽電池セル１１がこの順で重なっている部分に対する測定値Ｑs(Ｌ*[Qs],ａ*[Qs],ｂ*[Qs])に関する。
【００６９】
具体的には、上記の重なっている部分に対し、受光側保護部材１３から入射させた光による、測定値Ｑs(Ｌ*[Qs],ａ*[Qs],ｂ*[Qs])と、
条件(２)の設定に使用した前記測定値Ｑm(Ｌ*[Qm],ａ*[Qm],ｂ*[Qm])と、
から計算される色度差ΔＥ[m-s]が、以下の条件（３）を満たすと好ましい。
【００７０】
［条件（３）］
ΔＥ[m-s]≦３０
なお、
ΔＥ[m-s]＝｛(Ｌ*[Qm]−Ｌ*[Qs])２＋(ａ*[Qm]−ａ*[Qs])２
＋(ｂ*[Qm]−ｂ*[Qs])２｝１／２
である。
【００７１】
上記の条件（３）を満たしていると、裏側保護部材１４から反射し、裏側封止材１２Ｂ、受光側封止材１２Ｕ、および受光側保護部材１３を透過してきた光と、太陽電池セル１１から反射し、受光側封止材１２Ｕ、および受光側保護部材１３を透過してきた光との間の色度差が小さくなる。そのため、両部材１４・１１が、太陽電池モジュール１９として組み立てられた段階において、比較的小さな色度差しかなく、太陽電池モジュール１９が全体としても同系色に見える。
【００７２】
一方、上記の条件（３）を満たさないと、太陽電池モジュール１９として組み立てられた段階において、裏側保護部材１４上に配置される太陽電池セル１１が、互い１４・１１の色味の違いから、浮き上がったように視認され、太陽電池モジュール１９が全体的に同系色に見え難い。
【００７３】
なお、ΔＥ[m-s]は、より小さいほど、太陽電池モジュール１９として全体的に同系色に視認されるため、例えば、１５以下であるとより好ましく、１０以下であるとより一層好ましい。また、ΔＥ[m-s]は小さいほど、広い視野角においても、太陽電池セル１１が目立たなくなるといえるので、単体の太陽電池モジュール１９だけでなく、太陽電池モジュール１９を敷き詰めて設置しても、同系色として視認される。
【００７４】
また、ΔＥ[m-s]の値を調整する方法は、特に限定されるものではないが、太陽電池セル１１の色と同系色の裏側保護部材１４を使用する（すなわち、以降の条件（４）を満たすようにする）、または、太陽電池セル１１の受光側に反射防止層または光学調整層を設け、その屈折率および厚みを調整する等が挙げられる。
【００７５】
＜太陽電池セルと裏側保護部材とに関して＞
太陽電池モジュール１９に含まれる太陽電池セル１１および裏側保護部材１４の固有の色味に関する。
【００７６】
すなわち、太陽電池セル１１そのものに対する測定値Ｑc(Ｌ*[Qc],ａ*[Qc],ｂ*[Qc]）と、裏側保護部材１４そのものに対する測定値Ｑk(Ｌ*[Qk],ａ*[Qk],ｂ*[Qk])と、から計算される色度差ΔＥ[c-k]が、以下の条件（４）を満たすと好ましい。
【００７７】
［条件（４）］
ΔＥ[c-k]≦６０
なお、
ΔＥ[c-k]＝｛(Ｌ*[Qc]−Ｌ*[Qk])２＋(ａ*[Qc]−ａ*[Qk])２
＋(ｂ*[Qc]−ｂ*[Qk])２｝１／２
である。
【００７８】
上記の条件（４）を満たしていると、裏側保護部材１４上に配置される太陽電池セル１１にあって、両部材１４・１１との間の色度差が小さい。すなわち、同系色な両部材１４・１１が配置されることになり、その結果、太陽電池モジュール１９が全体としても同系色に見えやすい。また、条件（１）と条件（４）とが同時に満たされていると、太陽電池モジュール１９の色味設計が容易である。
【００７９】
一方、上記の条件（４）を満たさないと、裏側保護部材１４上に配置される太陽電池セル１１が、互いの色味の違いから、浮き上がったように視認され、太陽電池モジュール１９が全体的に同系色に見え難くなりやすい。
【００８０】
なお、ΔＥ[c-k]は、より小さいほど、太陽電池モジュール１９として全体的に同系色に視認されやすいため、例えば、３０以下であるとより好ましく、１５以下であるとより一層好ましい。また、ΔＥ[c-k]は小さいほど、広い視野角においても、太陽電池セル１１が目立たなくなりやすいので、単体の太陽電池モジュール１９だけでなく、太陽電池モジュール１９を敷き詰めて設置しても、同系色として視認されやすい。
【００８１】
また、ΔＥ[c-k]の値を調整する方法としては、特に限定されるものではないが、太陽電池セル１１の色と同系色の裏側保護部材１４を使用すると好ましい。すなわち、条件（４）・（３）とが同時に満たされていると、太陽電池モジュール１９は、色味的および彩度的に、統一感を有しながら同系色に見えやすくなる。
【００８２】
また、太陽電池セル１１の受光側に反射防止層または光学調整層を設け、その屈折率および厚みを調整する等で、ΔＥ[c-k]の値を調整しても構わない。
【００８３】
＜Ｃ．太陽電池モジュールにおける各部材の積層部分に関して＞
太陽電池モジュール１９において、受光側から裏側に向かって、受光側保護部材１３、受光側封止材１２Ｕ、配線部材１５がこの順で重なっている部分に対する測定値Ｑt(Ｌ*[Qt],ａ*[Qt],ｂ*[Qt])に関する。
【００８４】
具体的には、上記の重なっている部分に対し、受光側保護部材１３から入射させた光による、測定値Ｑt(Ｌ*[Qt],ａ*[Qt],ｂ*[Qt])と、
条件(２)の設定に使用した前記測定値Ｑm(Ｌ*[Qm],ａ*[Qm],ｂ*[Qm])と、
から計算される色度差ΔＥ[m-t]が、以下の条件（５）を満たすと好ましい。
【００８５】
［条件（５）］
ΔＥ[m-t]≦３０
なお、
ΔＥ[m-t]＝｛(Ｌ*[Qm]−Ｌ*[Qt])２＋(ａ*[Qm]−ａ*[Qt])２
＋(ｂ*[Qm]−ｂ*[Qt])２｝１／２
である。
【００８６】
上記の条件（５）を満たしていると、裏側保護部材１４から反射し、裏側封止材１２Ｂ、受光側封止材１２Ｕ、および受光側保護部材１３を透過してきた光と、配線部材（例えば、接続用の配線部材１５またはバスバー電極）から反射し、受光側封止材１２Ｕ、および受光側保護部材１３を透過してきた光と、の間の色度差が小さくなる。そのため、両部材１４・１５が、太陽電池モジュール１９として組み立てられた段階において、比較的小さな色度差しかなく、太陽電池モジュール１９が全体としても同系色に見える。
【００８７】
一方、上記の条件（５）を満たさないと、太陽電池モジュール１９として組み立てられた段階において、裏側保護部材１４上に配置される配線部材１５が、互いの色味の違いから、浮き上がったように視認され、太陽電池モジュール１９が全体的に同系色に見え難い。
【００８８】
なお、ΔＥ[m-t]は、より小さいほど、太陽電池モジュール１９として全体的に同系色に視認されるため、例えば、１５以下であるとより好ましく、１０以下であるとより一層好ましい。また、ΔＥ[m-t]は小さいほど、広い視野角においても、配線部材１５が目立たなくなるといえるので、単体の太陽電池モジュール１９だけでなく、太陽電池モジュール１９を敷き詰めて設置しても、同系色として視認される。
【００８９】
また、ΔＥ[m-t]の値を調整する方法は、特に限定されるものではないが、配線部材１５の受光側の表面を、裏側保護部材１４と同系色に着色することが挙げられる。
【００９０】
＜外部環境に関して＞
ところで、自然環境は、例えば、晴天であったり曇天であったりと、種々変化する。この変化に応じて、太陽電池モジュール１９を設置される外部部材（壁面、建材、または建物等）の意匠を変化させる一手段として、太陽電池モジュール１９を使用してもよい。
【００９１】
具体的には、晴天での太陽光の色温度は５０００〜６０００Ｋ、曇天での太陽光の色温度が６０００〜７０００Ｋであるため、太陽電池モジュール１９の色味の設計において、晴天での太陽光の色温度に近い５００３Ｋを有するＤ50光源の光［Ｄ50光］、曇天での太陽光の色温度に近い６５０４Ｋを有するＤ65光源の光［Ｄ65光］を使用した、以下の条件（６）を満たすようにすると好ましい。
【００９２】
なお、測定物に対して入射させた光に基づいた正反射光と拡散反射光とを併せた反射光に基づくＤ50光の色の測定値Ｄ50Px(Ｌ＊[50Px],ａ＊[50Px],ｂ＊[50Px]）とし、拡散反射光に基づくＤ50光の色の測定値Ｄ50Qx(Ｌ＊[50Qx],ａ＊[50Qx],ｂ＊[50Qx]）とする。
【００９３】
また、測定物に対して入射させた光に基づいた正反射光と拡散反射光とを併せた反射光に基づくＤ65光の色の測定値Ｄ65Px(Ｌ＊[65Px],ａ＊[65Px],ｂ＊[65Px]）とし、拡散反射光に基づくＤ65光の色の測定値Ｄ65Qx(Ｌ＊[65Qx],ａ＊[65Qx],ｂ＊[65Qx]）とする。
なお、xには識別符号g,m,sを挿入する。
【００９４】
そして、条件（６）は、太陽電池モジュール１９において、受光側から裏側に向かって、受光側保護部材１３、受光側封止材１２Ｕ、太陽電池セル１１がこの順で重なっている部分に対する色味に関する。
【００９５】
具体的には、上記の重なっている部分に対し、受光側保護部材１３から入射させた光による、測定値Ｄ50Qs(Ｌ＊[50Qs],ａ＊[50Qs],ｂ＊[50Qs])と、
測定値Ｄ65Qs(Ｌ＊[65Qs],ａ＊[65Qs],ｂ＊[65Qs])と、
から計算される値ΔＵ[Qs]が、以下の条件（６）を満たすと好ましい。
【００９６】
［条件（６）］
ΔＵ[Qs]≧１
なお、
ΔＵ[Qs]＝｛(Ｌ＊[50Qs]−Ｌ＊[65Qs])２＋(ａ＊[50Qs]−ａ＊[65Qs])２
＋(ｂ＊[50Qs]−ｂ＊[65Qs])２｝１／２
である。
【００９７】
この条件式（６）は、色温度の異なる光によって、太陽電池モジュール１９における太陽電池セル１１の色味が変化する程度を示す。したがって、ΔＵ[Qs]の値が大きくなればなるほど、外部環境の変化、例えば、時間、天候、または、季節の違いによって、太陽電池セル１１の色味が変化し、それに伴って、太陽電池モジュール１９の意匠性が高まる。
【００９８】
一方、上記の条件（６）を満たさないと、色温度の異なる光によっては、太陽電池セル１１の色味が変化しない。
【００９９】
なお、ΔＵ[Qs]は、より大きいほど、外部環境に応じた変化に富む太陽電池モジュール１９になるため、２以上であると好ましく、３以上であるとより一層好ましい。また、ΔＵ[Qs]の値を調整する方法は、特に限定されるものではないが、受光側封止材１２Ｕに含まれる波長変換添加剤の種類または配合量を調整する等が挙げられる。
【０１００】
また、太陽電池モジュール１９の設計の自由度が増すという点で、条件（６）のみが満たされていても構わないが、太陽電池モジュール１９の色味を全体として、同系色に見せる点では、条件（６）と同時に、条件（１）、および、条件（３）を満たすと好ましい。
【０１０１】
また、条件（１）は、光源に依存しない条件ではあるが、条件（６）が光源に依存する観点から、この条件（６）には、以下のような条件（１’）であるとより好ましい。
【０１０２】
すなわち、受光側保護部材１３そのものに対するＤ50光の色の測定値Ｄ50Pg(Ｌ＊[50Pg],ａ＊[50Pg],ｂ＊[50Pg]）、および、測定値Ｄ50Qg(Ｌ＊[50Qg],ａ＊[50Qg],ｂ＊[50Qg])と、受光側保護部材１３そのものに対するＤ65光の色の測定値Ｄ65Pg(Ｌ＊[65Pg],ａ＊[65Pg],ｂ＊[65Pg]）、および、測定値Ｄ65Qg(Ｌ＊[65Qg],ａ＊[65Qg],ｂ＊[65Qg])と、を用いる。
【０１０３】
具体的には、測定値Ｄ50Pg(Ｌ*[50Pg],ａ＊[50Pg],ｂ＊[50Pg]）に基づく彩度Ｃ＊[50Pg]と、Ｄ50Qg(Ｌ*[50Qg],ａ＊[50Qg],ｂ＊[50Qg]）に基づく彩度Ｃ＊[50Qg]と、測定値Ｄ65Pg(Ｌ*[65Pg],ａ＊[65Pg],ｂ＊[65Pg]）に基づく彩度Ｃ＊[65Pg]と、測定値Ｄ65Qg(Ｌ*[65Qg],ａ＊[65Qg],ｂ＊[65Qg]）に基づく彩度Ｃ＊[65Qg]とが、以下の条件を満たすと好ましい。
[条件（１’）]
Ｃ＊[50Pg]≦５
Ｃ＊[50Qg]≦５
Ｃ＊[65Pg]≦５
Ｃ＊[65Qg]≦５
なお、
Ｃ＊[50Pg]＝(ａ*[50Pg]２＋ｂ*[50Pg]２)１／２
Ｃ＊[50Qg]＝(ａ*[50Qg]２＋ｂ*[50Qg]２)１／２
Ｃ＊[65Pg]＝(ａ*[65Pg]２＋ｂ*[65Pg]２)１／２
Ｃ＊[65Qg]＝(ａ*[65Qg]２＋ｂ*[65Qg]２)１／２
である。
【０１０４】
また、条件（３）は、光源に依存しない条件ではあるが、条件（６）が光源に依存する観点から、この条件（６）には、以下のような条件（３’）であるとより好ましい。
【０１０５】
すなわち、太陽電池モジュール１９において、受光側から裏側に向かって、受光側保護部材１３、受光側封止材１２Ｕ、裏側封止材１２Ｂ、裏側保護部材１４がこの順で重なっている部分に対し、受光側保護部材１３から入射させた光による測定値Ｄ50Qm(Ｌ*[50Qm],ａ*[50Qm],ｂ*[50Qm]）および測定値Ｄ65Qm(Ｌ*[65Qm],ａ*[65Qm],ｂ*[65Qm]）を使用する。
【０１０６】
さらに、太陽電池モジュール１９において、受光側から裏側に向かって、受光側保護部材１３、受光側封止材１２Ｕ、太陽電池セル１１がこの順で重なっている部分に対し、受光側保護部材１３から入射させた光による測定値Ｄ50Qs(Ｌ*[50Qs],ａ*[50Qs],ｂ*[50Qs])および測定値Ｄ65Qs(Ｌ*[65Qs],ａ*[65Qs],ｂ*[65Qs])を使用する。
【０１０７】
具体的には、測定値Ｄ50Qm(Ｌ*[50Qm],ａ*[50Qm],ｂ*[50Qm]）と測定値Ｄ50Qs(Ｌ*[50Qs],ａ*[50Qs],ｂ*[50Qs])とから計算される色度差ΔＥ[50Qm-50Qs]、および、測定値Ｄ65Qm(Ｌ*[65Qm],ａ*[65Qm],ｂ*[65Qm]）と測定値Ｄ65Qs(Ｌ*[65Qs],ａ*[65Qs],ｂ*[65Qs])とから計算される色度差ΔＥ[65Qm-65Qs]が、以下の条件（３’）を満たすと好ましい。
【０１０８】
[条件（３’）]
ΔＥ[50Qm-50Qs]≦３０
ΔＥ[65Qm-65Qs]≦３０
なお、
ΔＥ[50Qm-50Qs]＝｛(Ｌ*[50Qm]−Ｌ*[50Qs])２
＋(ａ*[50Qm]−ａ*[50Qs])２
＋(ｂ*[50Qm]−ｂ*[50Qs])２｝１／２
ΔＥ[65Qm-65Qs]＝｛(Ｌ*[65Qm]−Ｌ*[65Qs])２
＋(ａ*[65Qm]−ａ*[65Qs])２
＋(ｂ*[65Qm]−ｂ*[65Qs])２｝１／２
である。
【０１０９】
なお、上記の条件（６）、条件（１）（または条件（１’））、および、条件（３）（または条件（３’））を満たすと同時に、条件（２）、条件（４）および条件（５）の３条件のうちの少なくとも１条件を満たしても構わない。
【０１１０】
また、条件（５）は、光源に依存しない条件ではあるが、条件（６）が光源に依存する観点から、この条件（６）には、以下のような条件（５’）であるとより好ましい。
【０１１１】
すなわち、太陽電池モジュール１９において、受光側から裏側に向かって、受光側保護部材１３、受光側封止材１２Ｕ、裏側封止材１２Ｂ、裏側保護部材１４がこの順で重なっている部分に対し、受光側保護部材１３から入射させた光による測定値Ｄ50Qm(Ｌ*[50Qm],ａ*[50Qm],ｂ*[50Qm]）および測定値Ｄ65Qm(Ｌ*[65Qm],ａ*[65Qm],ｂ*[65Qm]）を使用する。
【０１１２】
さらに、太陽電池モジュール１９において、受光側から裏側に向かって、受光側保護部材１３、受光側封止材１２Ｕ、配線部材１５がこの順で重なっている部分に対し、受光側保護部材１３から入射させた光による測定値Ｄ50Qt(Ｌ*[50Qt],ａ*[50Qt],ｂ*[50Qt])および測定値Ｄ65Qt(Ｌ*[65Qt],ａ*[65Qt],ｂ*[65Qt])を使用する。
【０１１３】
具体的には、測定値Ｄ50Qm(Ｌ*[50Qm],ａ*[50Qm],ｂ*[50Qm]）と測定値Ｄ50Qt(Ｌ*[50Qt],ａ*[50Qt],ｂ*[50Qt])とから計算される色度差ΔＥ[50Qm-50Qt]、および、測定値Ｄ65Qm(Ｌ*[65Qm],ａ*[65Qm],ｂ*[65Qm]）と測定値Ｄ65Qt(Ｌ*[65Qt],ａ*[65Qt],ｂ*[65Qt])とから計算される色度差ΔＥ[65Qm-65Qt]が、以下の条件（５’）を満たすと好ましい。
【０１１４】
[条件（５’）]
ΔＥ[50Qm-50Qt]≦３０
ΔＥ[65Qm-65Qt]≦３０
なお、
ΔＥ[50Qm-50Qt]＝｛(Ｌ*[50Qm]−Ｌ*[50Qt])２
＋(ａ*[50Qm]−ａ*[50Qt])２
＋(ｂ*[50Qm]−ｂ*[50Qt])２｝１／２
ΔＥ[65Qm-65Qt]＝｛(Ｌ*[65Qm]−Ｌ*[65Qt])２
＋(ａ*[65Qm]−ａ*[65Qt])２
＋(ｂ*[65Qm]−ｂ*[65Qt])２｝１／２
である。
【０１１５】
なお、本発明は上記した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【実施例】
【０１１６】
以下本発明を実施例により具体的に説明するが、本発明はこれらの実施例により限定されるものではない。なお、反射スペクトルの測定では、日本電色工業株式会社製の分光色彩計（品番ＳＤ５０００）を用いた。【０１１７】
＜受光側保護材に関して＞
下記の受光側保護部材Ａ〜Ｄに対し、分光色彩計を用いて、正反射光と拡散反射光とを併せた反射光、および、拡散反射光のみの反射光の反射スペクトルを測定した。これにより、測定光源Ｄ50、１０度視野条件でのＣ*[50Pg]、Ｃ*[50Qg]と、測定光源Ｄ65、１０度視野条件でのＣ*[65Pg]、Ｃ*[65Qg]とを算出した。結果を表１に示す。【０１１８】
・受光側保護部材Ａ
…厚さ３ｍｍの非強化ガラスで形成された高透過太陽電池用カバーガラス。
・受光側保護部材Ｂ，Ｃ
…反射防止膜付きの厚さ３ｍｍの強化ガラスで形成された高透過太陽電池用カバーガラス２種。
・受光側保護部材Ｄ
…厚さ３ｍｍのライトブルー色のカラーガラス。【０１１９】
【表１】
2019031023.tif 000003
【０１２０】
＜太陽電池セルと裏側保護部材とに関して＞
下記の部材に対し、分光色彩計を用いて、拡散反射光のみの反射光における反射スペクトルを測定した。これにより、測定光源Ｄ50、１０度視野条件でのΔＥ[c-k]を算出した。得られた結果を表２に示す。【０１２１】
・太陽電池セル
…結晶シリコン基板を使用した裏面電極型の太陽電池セル。
・裏側保護部材Ａ
…黒色ＰＥＴ／アルミニウム箔／ＰＥＴの３層構造のシート。
・裏側保護部材Ｂ
…白色オレフィン／ＰＥＴの２層構造のシート。【０１２２】
【表２】
2019031023.tif 000004
【０１２３】
＜太陽電池モジュールに関して＞
［実施例１］
実施例１の太陽電池モジュールは、太陽電池セルとして前記裏面電極型の太陽電池セル、受光側保護材として前記受光側保護材Ａ、裏側保護材として前記裏側保護材Ａを使用した。さらに、実施例１の太陽電池モジュールは、封止材として、青色の蛍光を有する波長変換添加剤を分散させたＥＶＡシート（封止材Ａ）を受光側封止材として、波長変換添加剤と紫外線吸収剤をともに有さないＥＶＡシート（封止材Ｂ）を裏側封止材として、使用した。なお、以上の部材は、図１および図２に示すように積層配置された後、１４０℃にてラミネートされることで、太陽電池モジュールとして製造された。【０１２４】
得られた太陽電池モジュールに対し、反射光と拡散反射光とを併せた反射光、および、拡散反射光のみの反射光の反射スペクトルを測定し、測定光源Ｄ50、１０度視野条件および測定光源Ｄ65、１０度視野条件での測定値から、ΔＴ[m]、ΔＥ[50Qm-50Qs]、ΔＥ[65Qm-65Qs]、ΔＵ[Qs]を算出した。なお、ΔＴ[m]は、便宜上、Ｄ50光を使用した結果にはΔＴ[50m]、Ｄ65光を使用した結果にはΔＴ[65m]と表記する。【０１２５】
加えて、太陽光下で、下記（Ａ）〜（Ｃ）について観察し、該当する場合は○、該当しない場合は×と判定した。
（Ａ）太陽電池モジュールが全体的に青色に見える(○)か見えない（×）か。
（Ｂ）太陽電池モジュールからの正反射光に色味が無い(○)か有る(×)か。
（Ｃ）太陽電池モジュールの全体視において、セルが浮き出て見えない（○）か浮き出て見える(×)か。【０１２６】
［比較例１］
受光側封止材として封止材Ｂを使用すること以外は、実施例１と同様の方法で太陽電池モジュールを作製し、同様の測定と観察を実施した。【０１２７】
［比較例２］
裏側保護材として裏側保護材Ｂを使用すること以外は、実施例１と同様の方法で太陽電池モジュールを作製し、同様の測定と観察を実施した。【０１２８】
［比較例３］
受光側封止材として封止材Ｂ、裏側保護材として裏側保護材Ｂを使用すること以外は、実施例１と同様の方法で太陽電池モジュールを作製し、同様の測定と観察を実施した。【０１２９】
［比較例４］
受光側保護材として受光側保護材Ｄを使用すること以外は、比較例２と同様の方法で太陽電池モジュールを作製し、同様の測定と観察を実施した。【０１３０】
［比較例５］
裏側保護材として裏側保護材Ｂを使用すること以外は、比較例４と同様の方法で太陽電池モジュールを作製し、同様の測定と観察を実施した。【０１３１】
［比較例６］
受光側保護材と受光側封止材の間に、ポリエチレンフィルムを基材とした青色テープを挟み積層したこと以外は、比較例２と同様の方法で太陽電池モジュールを作製し、同様の測定と観察を実施した。【０１３２】
［比較例７］
裏側保護材として裏側保護材Ｂを使用すること以外は、比較例６と同様の方法で太陽電池モジュールを作製し、同様の測定と観察を実施した。【０１３３】
以上の実施例および比較例の部材構成を表３、得られた結果を表４に示す。実施例は、観察項目（Ａ）〜（Ｃ）が全て（○）となったことから、全体として同系色を発する太陽電池モジュールといえる。【０１３４】
【表３】
2019031023.tif 000005
【０１３５】
【表４】
2019031023.tif 000006
【０１３６】
［実施例２］
実施例２の太陽電池モジュールは、実施例１と同様の部材を使用するとともに、太陽電池セルの電極に接続する配線部材として、塗料で黒色に着色した平角状のはんだめっき銅線（配線部材Ａ）を使用した。具体的には、以上の部材は、図３および図４に示すように積層配置された後、１４０℃にてラミネートされることで、太陽電池モジュールとして製造された。【０１３７】
得られた太陽電池モジュールについて、反射光と拡散反射光とを併せた反射光、および、拡散反射光のみの反射光における反射スペクトルを測定し、測定光源Ｄ50、１０度視野条件の場合でのΔＥ[50Qm-50Qt]、および、測定光源Ｄ65、１０度視野条件の場合でのΔＥ[65Qm-65Qt]を算出した。【０１３８】
加えて、太陽光下で、下記（Ｄ）について観察し、該当する場合は○、該当しない場合は×と判定した。
（Ｄ）太陽電池モジュールの全体視において、配線部材が浮き出て見えない（○）か浮き出て見える(×)か。【０１３９】
［比較例８］
未処理の平角状はんだめっき銅線（配線部材Ｂ）を使用した以外は、実施例２と同様の方法で太陽電池モジュールを作製し、同様の測定と観察を実施した。【０１４０】
［比較例９］
裏側保護材として裏側保護材Ｂを使用すること以外は、実施例２と同様の方法で太陽電池モジュールを作製し、同様の測定と観察を実施した。【０１４１】
上記の実施例および比較例の結果を表５に示す。実施例は、観察項目（Ｄ）が全て（○）となったことから、全体として同系色を発する太陽電池モジュールといえる。【０１４２】
【表５】
2019031023.tif 000007
【符号の説明】
【０１４３】
１１        太陽電池セル
１１Ｕ      太陽電池セルの表面（受光面）
１１Ｂ      太陽電池セルの裏面
１２        封止材
１２Ｕ      受光側封止材
１２Ｂ      裏側封止材
１３        受光側保護部材
１４        裏側保護部材
１５        配線部材
１９        太陽電池モジュール
【図１】
2019031023.tif 000008
【図２】
2019031023.tif 000009
【図３】
2019031023.tif 000010
【図４】
2019031023.tif 000011
【図５】
2019031023.tif 000012
【図６】
2019031023.tif 000013
【図７】
2019031023.tif 000014
【図８】
2019031023.tif 000015
【国際調査報告】
2019031023.tif 000016
2019031023.tif 000017
2019031023.tif 000018
2019031023.tif 000019